(57)【要約】      （修正有）【課題】爪の切り屑の飛散及び刃先からこぼれ出るのを防止し、爪切り作業終了後、まとめて切り屑を排出できる爪切りを提供する。【解決手段】てこ式の爪切りを、刃先を覆う飛散防止用カバー３と吸引通路１２に連結された爪貯留部６、爪貯留部と通路８で連通された負圧形成体９で構成した。負圧形成体は、上刃体保持レバーと押圧操作レバー４の間に取り付けられ、爪切り時の押圧操作レバーの上下動作で、負圧形成体が圧縮と膨張の復元変形する。爪を切断した後、次の爪を切断するため押圧操作レバー４の押し下げ力を解除すると、負圧形成体が急激に膨張し、通路、爪貯留部と吸引通路で連通された飛散防止用カバー内の空気を吸引するので、刃先の隙間より高速で空気が流入し、刃先に残存した爪の切り屑を高速気流で爪貯留部へと移送・貯留する構造となっている。【選択図】図１
2013123578.tif 000002
【特許請求の範囲】
【請求項１】
作用点側に対峙する両刃体を形成し、力点側に押圧操作レバーを形成した爪切りにおいて、
両刃体の爪切り空間に連通した通路を飛散防止カバーにより両刃体の外方に形成し、通路中途に切断爪の爪貯留部を設け、通路終端に押圧操作レバーに連結し連動する負圧形成体を設け、しかも爪切り空間内と爪貯留部内と負圧形成体内とを通路を介して連通状態に形成し、押圧操作レバーの押し圧操作による爪切り作動に伴って負圧形成体が連動収縮すると共に、爪切り後の押圧操作レバーの押し圧力解除作動に伴って負圧形成体が膨張復元することにより、爪切り空間内と爪貯留部内と負圧形成体内とに負圧を形成し、この負圧により対峙する両刃体の刃縁の隙間から空気を吸引することで、爪切り空間内の切断爪を空気流によって爪貯留部へ移送し貯留することを特徴とした爪切り。
【発明の詳細な説明】
【技術分野】
【０００１】
本発明は、切断した爪の飛散を飛散防止カバーにより防止すると共に、負圧による吸引気流で切断爪を爪貯留部へ移送し貯留することで、連続的な爪切り作業を可能とし、かつ、ワンタッチで切断爪を一括排出できるようにした爪切りに関するものである。
【背景技術】
【０００２】
従来、爪切りとしては、いわゆる「てこ式爪切り」と「ニッパ式爪切り」が広く用いられており、爪切断時に爪屑を周囲に飛散させない方策として、下記特許文献にもあるような、刃体に飛散防止カバーを設けたものがある。しかし、これらの方式では爪を連続的に切る場合や刃先を下向きして切る場合は、刃の開閉動作に伴い切断爪が刃の隙間からこぼれ落ちるため、爪切り動作ごとにゴミ箱等への排出が必要となり不便であった。
【０００３】
【特許文献１】特開２００２−３４０公報
【特許文献２】実願２００６−２３４３公報
【発明の概要】
【発明が解決しようとする課題】
【０００４】
以上述べたように従来型爪切りの問題点は、爪を切り取った瞬間に飛び散るのを防ぐカバーはあっても収納が不十分であるため、刃先を下にしたりして連続的に爪を切る場合などは、刃先から切断爪がこぼれ落ちる問題点があった。本発明は刃先の開閉でこぼれ落ちることなく、確実に貯留部に切断爪を貯留したあと、爪切り作業終了時に貯留部のワンタッチ蓋を開閉し、切断爪を一括排出できるようにしたものである。
【課題を解決するための手段】
【０００５】
本発明は、請求項１で記載したように、両刃体を覆う爪飛散防止用カバーと通路で連通された爪貯留部、さらに爪貯留部と通路で連通された負圧形成体で構成されており、爪飛散防止用カバーは両刃体の動きに支障が出ない程度に接触したシール構造で、爪貯留部は一旦爪を収納した後は、切断爪が逆流しにくい構造となっている、更に負圧形成体は形状の復元性を有しており、爪切り時の押圧操作レバーの動きに連動し収縮と膨張を繰り返す、また負圧形成体は収縮と膨張による空気の出入りが一方向になるように逆支弁が設けられている。
これらの構成において、爪を切断した直後では両刃体の刃縁は閉じ、また押圧操作レバー間も狭まった状態で負圧形成体も収縮している。次に次の爪を切断するため押圧操作レバーの押し圧力の解除を行うと、押圧操作レバー間が拡がると共に、負圧形成体が急激に膨張し負圧を形成することとなる、このため通路で連通された爪貯留部を介し爪飛散防止用カバー内の空気を吸引し、更には開いた刃縁間の隙間より高速で空気を吸引することとなる。この結果、両刃体部の爪切り空間に残存した切断爪を、高速気流で爪貯留部へと移送し、貯留できる構造となっている。
【発明の効果】
【０００６】
本発明は、以上のような構成であって、次のような効果を奏する。
本発明は、爪切断時の飛散を防止するとともに、次の爪切り動作で、押圧操作レバーの押し圧力を解除すると押圧操作レバー間が開き、負圧形成体が急激に膨張する構造となっており、負圧形成体と連通された爪飛散防止用カバー内が負圧となり、空気が刃縁部の隙間から高速で吸引される。この結果、爪飛散防止用カバー内の切断爪は高速空気流とともに爪貯留部へ移送される。また爪貯留部は切断爪が一旦貯留されると逆流しにくい構造となっており、貯留された爪の飛散や脱落を心配することなく、スピーディに、かつ連続的に爪切り動作が出来る。しかも貯留された切断爪は作業後一括排出できるので処理も容易で衛生的である。
【図面の簡単な説明】
【０００７】
【図１】本発明のてこ式爪切りの斜視図
【図２】本発明のてこ式爪切りの平面図
【図３】図２のてこ式爪切りのA-A線断面図
【図４】本発明のてこ式爪切りの正面図
【図５】図３のてこ式爪切りのB-B線端面図
【図６】図３のてこ式爪切りのC-C線端面図
【図７】本発明のニッパ式爪切りの平面図
【図８】本発明のニッパ式爪切りの側面図
【図９】図８のニッパ式爪切りのD-D線端面図
【図１０】図８のニッパ式爪切りのE-E線端面図
【図１１】図８のニッパ式爪切りのF-F線端面図
【図１２】本発明のてこ式爪切りの側方通路型斜視図
【発明を実施するための形態】
【０００８】
次に本発明の実施の形態を図面に従って説明する。
本発明の切断爪の吸引貯留式爪切りは、一般の「てこ式」や「ニッパ式」の爪切りに、切りとった切断爪の飛散防止カバーと、爪切り空間に連通した切断爪吸引搬送のための通路と、負圧形成体と、切断爪を貯留する貯留部とからなっており、まず「てこ式」爪切りの実施形態について説明する。
【０００９】
図１，２，３、４，５，６に示すように、てこ式爪切りは、上刃体１と下刃体２と押圧操作レバー４及び支柱ピン５から構成され、上刃体１と下刃体２は上刃体保持レバー１ｂ及び下刃体保持レバー２ｂを介して固定点７で接続されており、押圧操作レバー４を押し下げることで、支柱ピン５を支点とした、てこの原理で上刃体１を下刃体２に押し付ける、上刃体１と下刃体２の先端部は鋭利な刃縁１ａ、２ａを有しており、爪を押し切って切断できるように構成されている。また刃縁１ａ、２ａは、やや湾曲しており爪を丸く切ることが容易な形状となっている。
【００１０】
続いて、飛散防止用カバー３をてこ式爪切りに装着するための爪切り保持体３aについて説明する。
図３、５に示す爪切り保持体３aは、飛散防止カバー３と同質の合成樹脂製（例えばポリプロピレン）により成型された薄片で、全体が透明性を有している。この爪切り保持体３aは、上刃体保持レバー１ｂの上面と下刃体保持レバー２ｂの下面に密着し、上下刃体保持レバー１ｂ、２ｂの両側面部で飛散防止カバー３と接合され飛散防止カバー３を保持している。次に飛散防止カバー３は、上下刃体保持レバー１ｂ、２ｂの両側面とは軽く接触しており空気が容易に流通しない、また刃縁１ａ、２ａの直近まで覆っている。これにより飛散防止カバー３と上下刃体保持レバー１ｂ、２ｂ及び上刃体１及び下刃体２との間には爪切り空間１０が形成され、この爪切り空間１０の下刃体保持レバー２ｂには、爪貯留部６へ通ずる開口の吸引通路１２がある。一方の上刃体保持レバー１ｂには吸引通路１２への気流の流れをスムーズにする可撓式の気流案内羽根１１が取り付けられている。爪切り空間１０と爪貯留部６は、吸引通路１２で連通しており、爪貯留部６の入り口には取り込んだ爪が逆流しないように、逆流防止板１６が設けられている。また爪貯留部６の底には、取り込んだ爪を簡単に取り出せるように気密性のあるワンタッチ蓋１７を設けている。
更に、爪切り保持体３aの外側には通路８を保持して覆う飛散防止用カバー３が形成されており、飛散防止用カバー３は吸引通路１２の下方、すなわち、通路８の始端に位置する部分に爪貯留部６を形成しており、従って、爪切り空間１０から吸引通路１２、爪貯留部６、通路８、負圧形成部９までは連通状態となっている。かかる連通経路の中途に爪貯留部６が形成されていることが本発明の要旨である。
通路８は、爪切り保持体３aの上下方及び後端後方に形成するように構成し、飛散防止用カバー３の両側壁は爪切り保持体３aの両側端面と接合されている。
【００１１】
このように、爪貯留部６と負圧形成体９は通路８で連通しており、通路８の爪貯留部６側には網１８が設けてあり、取り込んだ切断爪が通り抜けないようになっている。次に負圧形成体９は、伸縮性のある素材で、形状は蛇腹やゴムまり状になっており、押圧操作レバー４と連結され、押圧操作レバー４の開閉に伴って、負圧形成体９も連動して収縮と膨張を行うことで、空気の吸引排出を行う。この負圧形成体９には二つの逆止弁１３，１４があり、逆止弁１３は爪貯留部６と連通した側にあり、爪貯留部６から空気を吸引するだけの弁構造となっており、また逆止弁１４は、負圧形成体９内の空気を大気側へ排出するだけの弁構造となっている。これにより常に爪貯留部６側から空気を吸引し、大気側へ排出する弁構造となっている。
【００１２】
続いて上記のように構成された、てこ式爪切りの作用を説明する。
てこ式爪切りを使用して手や足の爪を切る場合は、刃縁１ａ、２ａ間を開き爪を爪切り空間１０に挿入する。その状態で押圧操作レバー４を握って間隔を狭めると、それに伴って刃縁部１ａ、２ａが閉じ爪が切断される。切断された爪片は飛び散ろうとするが、飛散防止用カバー３に阻止され、爪切り空間１０に留まる。次の爪を切ろうと押圧操作レバー４を開くと、それに連動して負圧形成体９が膨張し負圧形成体９内に負圧力が発生する。負圧形成体９は通路８及び爪貯留部６を介し、吸引通路１２で爪切り空間１０内と連通しているため、負圧力により空気が少し開いた刃縁１ａ、２ａ間から高速気流となり吸引される、この際、爪切り空間１０に留まっていた切断爪を高速気流とともに、爪貯留部６へと移送することとなる。一旦、爪貯留部６に入った切断爪は、逆流防止板１６により爪切り空間１０へは戻れない。この結果、刃縁部１ａ、２ａを下向きにしても、切断爪を落下飛散させることなく、連続的に爪切り作業を行うことが出来る。  
上記した実施例は、両刃体１，２の上下刃体保持レバー１ｂ、２ｂの下刃体保持レバー２ｂに吸引通路形成のための穿孔を必要とする。
従って既存の爪切りにかかる穿孔作業を必要としないで、そのまま既存の爪切りが使用できることが望ましい。
そのために図１２に示すような実施例が考えられる。
すなわち、爪貯留部６は通路８の中途に形成するものであるから、爪貯留部６を上下刃体保持レバー１ｂ、２ｂの側方開放部に連通した爪貯留部６とすべく、飛散防止用カバー３を横側方に膨出させて、この膨出部分を爪貯留部６を介して空間１０と通路８を連通し、最終的に負圧形成体９に連通させて負圧による切断爪の吸引、貯留を可能とする。
【００１３】
次に、ニッパ式爪切りの実施形態について説明する。
【００１４】
図７，８，９，１０，１１に示すように、ニッパ式爪切りは、支軸２１により開閉回動可能に連結された一対のレバーから構成され、支軸２１は、てこの支点にあたり、短尺側の作用点側３５に刃体部２３ａ、２３ｂを、また力点側３６に押圧操作レバー２２ａ、２２ｂを備えている。前記刃体部２３ａ、２３ｂは内縁に設けられた鋭利な刃縁２４ａ、２４ｂを有している。２４ａ、２４ｂはやや湾曲しており、爪を丸く切ることが容易な形状となっている。
【００１５】
続いて、ニッパ式爪切りに装着された飛散防止用カバー２５について説明する。図７，８，９に示す飛散防止用カバー２５は、合成樹脂製（例えばポリプロピレン）により成型された薄片で、全体が透明性を有している。この飛散防止用カバー２５は、刃体部２３ａ、２３ｂと軽く接触する程度に配置し、飛散防止用カバー２５と刃体部２３ａ、２３ｂとの間に、爪切り空間３２を形成している。更に爪切り空間３２と爪貯留部３３は通路２７で連通している。爪貯留部３３は取り込んだ爪が逆流しないように、逆流防止板２８を有しており、また取り込んだ爪を簡単に取り出せるように気密性のあるワンタッチ蓋２０を設けている。
【００１６】
爪貯留部３３と負圧形成体２９は通路２６で連通しており、通路２６の爪貯留部３３側には網３４が設けてあり、取り込んだ爪片が通り抜けないようになっている。次に負圧形成体２９は、伸縮性のある素材で出来ており、押圧操作レバー２２ａ、２２ｂと連結され、押圧操作レバー２２ａ、２２ｂの開閉に伴って、負圧形成体２９も連動して収縮と膨張を行うことで、空気の吸引排出を行う。この負圧形成体２９には二つの逆止弁３０，３１があり、逆止弁３０は爪貯留部３３と連通した側にあり、爪貯留部３３から空気を吸引するだけの弁構造となっており、また逆止弁３１は、負圧形成体２９内の空気を大気側へ排出するだけの弁構造となっている。これにより常に爪貯留部３３側から空気を吸引し、大気側へ排出する弁構造となっている。
【００１７】
次に、上記のように構成されたニッパ式爪切りの作用を説明する。
ニッパ式爪切りを使用して手足の爪を切る場合は、刃縁２４ａ、２４ｂ間を開き、爪を空間３２に挿入する。その状態で押圧操作レバー２２ａ、２２ｂを握って閉じると、それに伴って刃縁２４ａ、２４ｂも閉じ爪が切断される。切断された爪片は飛び散ろうとするが、飛散防止用カバー２５に阻止され爪切り空間３２に留まる。次に爪を切ろうと押圧操作レバー２２ａ、２２ｂを開くと、それに連動して負圧形成体２９が急激に膨張し負圧形成体２９内に負圧力が発生する。負圧形成体２９は通路２６及び爪貯留部３３を介し、通路２７で爪切り空間３２内と連通しているため、負圧力により空気が少し開いた刃縁２４ａ、２４ｂより高速気流となり吸引される。この際、爪切り空間３２に留まっていた切断爪を高速気流とともに、爪貯留部３３へと移送することとなる。一旦、爪貯留部３３に入った切断爪は、逆流防止板２８により爪切り空間３２へは戻れない。この結果、刃縁２４ａ、２４ｂ部を下向きにしても、切断爪を落下飛散させることなく、連続的に爪切り作業を行うことが出来る。
【符号の説明】
【００１８】
１      上刃体
１ａ    刃縁
１ｂ    上刃体保持レバー
２      下刃体
２ａ    刃縁
２ｂ    下刃体保持レバー
３      飛散防止用カバー
３ａ    爪切り保持体
３ｂ    膨出カバー
４      押圧操作レバー
５      支柱ピン
６      爪貯留部
７      固定点
８      通路
９      負圧形成体
１０    爪切り空間
１１    気流案内羽根  
１２    吸引通路
１３    逆止弁
１４    逆止弁
１５    ヒンジ
１６    逆流防止板
１７    ワンタッチ蓋
１８    網
１９    ヒンジ
２０    ワンタッチ蓋
２１    支軸  
２２ａ  押圧操作レバー
２２ｂ  押圧操作レバー
２３ａ  刃体部
２３ｂ  刃体部
２４ａ  刃縁
２４ｂ  刃縁
２５    飛散防止用カバー
２６    通路
２７    通路
２８    逆流防止板
２９    負圧形成体
３０    逆止弁
３１    逆止弁
３２    爪切り空間
３３    爪貯留部
３４    網
３５    作用点側
３６    力点側
【図１】
2013123578.tif 000003
【図２】
2013123578.tif 000004
【図３】
2013123578.tif 000005
【図４】
2013123578.tif 000006
【図５】
2013123578.tif 000007
【図６】
2013123578.tif 000008
【図７】
2013123578.tif 000009
【図８】
2013123578.tif 000010
【図９】
2013123578.tif 000011
【図１０】
2013123578.tif 000012
【図１１】
2013123578.tif 000013
【図１２】
2013123578.tif 000014